Podtech/llm-jp-corpus-v4-ja_patent huggingface dataset:
【手続補正書】
【提出日】平成15年12月24日(2003.12.24)
【手続補正１】
【補正対象書類名】明細書
【補正対象項目名】０００２
【補正方法】変更
【補正の内容】
【０００２】
【従来の技術】
図柄組合わせ遊技機として従来から実施に供されているパチンコ機やスロットマシンにおいては、図柄変動組合わせゲームを展開して特別遊技状態や入賞成立状態に係る図柄組合わせを成立表示することのできる図柄可変表示装置を搭載している。この図柄可変表示装置では、図柄ドラムを具備する「ドラム式図柄可変表示装置」、図柄ベルトを具備する「ベルト式図柄可変表示装置」、液晶パネルを具備する「液晶式図柄可変表示装置」等に大別される。このうち、前記ドラム式図柄可変表示装置やベルト式図柄可変表示装置では、その基本的な形式(形態)として、モータ(ステッピングモータまたはパルスモータ)および駆動制御回路等を含む回転駆動制御手段と、数字やキャラクタデザイン等からなる複数個の図柄を形成配列して前記モータにより回転するドラム形態またはベルト形態の図柄表示体と、各図柄を有効ライン上に停止表示するための位置合わせ基準を検出する検出手段と、前記図柄を内側から照明するランプを具備した照明手段、等を含めて構成された図柄表示ユニットを、例えば１つの箱枠体内に複数基(通常では左列、中列、右列の３基が多い)を組単位として並列セットすることでユニット化されている。


【手続補正２】
【補正対象書類名】明細書
【補正対象項目名】００４０
【補正方法】変更
【補正の内容】
【００４０】
ステップＳ２９でＲＡＭ(速度タイマ)がクリアされると、ステップＳ３０に進んでＲＡＭ(現在ステップ)を＋１して更新する。このＲＡＭ(現在ステップ)は、１図柄中のステップ単位での現在位置を示すデータであって、実施例では前述した如く４０ステップが１図柄分となっているので、このＲＡＭ(現在ステップ)は０〜３９とされ、ＲＡＭ(現在ステップ)が「３９」であった場合は「０」に更新される。一方、移動量がマイナスの値は逆回転を意味するものであり、この場合はＲＡＭ(現在ステップ)を−１する。なお「０」からマイナスされた場合は「３９」となる。


【手続補正３】
【補正対象書類名】明細書
【補正対象項目名】００４２
【補正方法】変更
【補正の内容】
【００４２】
次のステップＳ３３では、原位置スイッチがオンかどうか判定する。この原位置スイッチは、図柄ドラム４１に設けた前記インデックス４５を検出する前記検出具４６であって、この検出具４６が前記インデックス４５を検知した場合はステップＳ３４へ進むと共に、検出しなかった場合はステップＳ３７へ進む。ここで、実施例の図柄可変表示装置３５における各図柄表示ユニットＵでは、図柄ドラム４２に形成されたインデックス４５が、前述した如く、図柄番号４の図柄における２２ステップ目のところに位置しており、前記モータ４１のすべりによる図柄ドラム４２のずれが生じなければ、ＲＡＭ(現在ステップ)が「２２」の時に該インデックス４５が検出具４６で検出される。従ってステップＳ３４では、ステップＳ３３において検出具４６がインデックス４５を検出したら、ＲＡＭ(現在ステップ)に「２２」を設定する。なお、ＲＡＭ(現在ステップ)が「２２」以外の場合は、図柄ドラム４２にずれが生じていることを意味し、ＲＡＭ(現在ステップ)と「２２」との差がずれ量として認識される一方、強制的にＲＡＭ(現在ステップ)を「２２」に書換えるようになっている。そして、ステップＳ３４でＲＡＭ(現在ステップ)の設定(書換え)が完了したらステップＳ３５に進み、検出具４６がインデックス４５を検出したことに基きＲＡＭ(現在図柄番号)を「４」に設定する。なお、ＲＡＭ(現在図柄番号)が「４」以外の場合であっても、強制的にＲＡＭ(現在図柄番号)を「４」とする。そしてステップＳ３６では、ＲＡＭ(励磁データ)の更新を行なう。このＲＡＭ(励磁データ)が更新されたことにより、図４(ａ)におけるステップＳ５の出力処理において、モータ４１へのパルス出力処理が行なわれる。


【手続補正４】
【補正対象書類名】明細書
【補正対象項目名】００６６
【補正方法】変更
【補正の内容】
【００６６】
そして、ステップＳ２２およびステップＳ２３の処理を行なって入力処理が完了した後、モータ処理におけるステップＳ３８の図柄データ設定処理に進み、ステップＳ４２からステップＳ５３へ進んでＲＡＭ(移動量)の減算処理を行なった後、ステップＳ５４に進む。このステップＳ５４では、ＲＡＭ(速度)が「一致図柄待ち」(変動途中で全図柄停止コマンドを受信した場合)かどうかを判定して、「一致図柄待ち」でない場合(「立上げ」または「立下げ」の場合)は図柄データ設定処理を終了し、「一致図柄待ち」となっている場合は、処理プログラムはステップＳ５５へ進むようになる。なお「一致図柄待ち」とは、停止位置(停止図柄の１図柄前)に現在位置(ＲＡＭ(現在ステップ)およびＲＡＭ(現在図柄番号))が一致するまで移動させる処理である。


【手続補正５】
【補正対象書類名】明細書
【補正対象項目名】００７２
【補正方法】変更
【補正の内容】
【００７２】
(入賞球の検出および変動パターンの決定)
先ず、当該パチンコ機Ｐの前記遊技盤１８における遊技領域１９内でのパチンコゲームにおいて、該遊技領域１９内へ打出された遊技球が前記始動入賞具２１へ入球すると、該始動入賞具２１の入賞スイッチから前記主基板３４へ入球検出信号が入力され、これにより該主基板３４では、前述した如くステップＭＳ６での入力処理で大当り判定用乱数と大当り図柄用乱数を抽出してＲＡＭに格納する。そして主基板３４では、ステップＭＳ１３の特別図柄処理における特別図柄開始処理で、前記ステップＭＳ６の入力処理で抽出格納した大当り判定用乱数の値と予め設定された判定用設定値とを比較判定して、この判定結果が「大当り」の場合には大当り図柄用乱数に基いて大当り停止図柄を決定し、また判定結果が「外れ」の場合には外れ停止図柄を決定する。更に、変動パターン振分け乱数の値に基いて、前記２９種類の変動パターンのうちから例えば変動パターン１が決定される。そしてこの結果に基き、ステップＭＳ１７の情報処理において変動パターン１に対応した変動開始コマンド(図柄制御コマンド)が作成される(図３(ｃ))。前記主基板３４で作成された変動開始コマンドは、当該プログラムの２ｍｓ後に実行される次のプログラムにおけるステップＭＳ５の出力処理で、前記特別図柄制御基板５０へ送信される。
【手続補正書】
【提出日】平成15年8月29日(2003.8.29)
【手続補正１】
【補正対象書類名】明細書
【補正対象項目名】００１０
【補正方法】変更
【補正の内容】
【００１０】
テレビカメラ１または２から入力された映像信号は画面合成器３内に設けられた映像検知部３１，３２にて常時映像断を検出している。検出方法としては同期信号を検知する方法のほか、映像レベル、バースト信号を検知する方法がある。


【手続補正２】
【補正対象書類名】明細書
【補正対象項目名】００１２
【補正方法】変更
【補正の内容】
【００１２】
次に、この動作を説明する。通常は、従来と同じように、テレビカメラ１と２の画像は画面合成部３０で合成され、映像切換部３４を経由して、テレビモニタ上に、画面４０が表示されている。ここで、例えば、テレビカメラ１に故障等が発生し映像信号が断となった場合、映像検知部３１では直ちに映像断を検出し映像断信号を切換制御部３５に送出する。切換制御部３５では映像切換部３４を制御し、テレビカメラ２の映像信号を選択し、テレビモニタへ送出する。テレビモニタではテレビカメラ２に画像が１画面で表示され、その画像は４２のようになる。同様にテレビカメラ２に故障等が発生し映像信号断となった場合、自動的にテレビカメラ１の映像信号が選択されテレビモニタには画面４１が表示される。
【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
パケット多重化された動画像ストリームデータを入力する入力手段と、
前記入力手段により入力されるすべてのパケットの中から特定の識別コードをもつパケットのみを選出する選出手段と、
前記選出手段により選出されたパケットより得られる動画像ストリームデータを記録媒体に記録する録画手段と、
前記選出手段により選出されたパケットより得られる動画像ストリームデータの中からランダムアクセスを可能とするために構成される画像群構造の開始点を検出し、その動画像ストリームデータの先頭からの絶対位置を示すエントリ情報を取得する検出手段と、
前記検出手段により取得された画像群構造のエントリ情報を保持するエントリテーブルを作成するエントリテーブル作成手段と、
を具備することを特徴とする動画像録画再生装置。
【請求項２】
トリック再生に用いる画像群構造のエントリ情報を前記エントリテーブルから取り出す取り出し手段と、
前記取り出し手段により取り出されたエントリ情報で示される画像群構造の動画像ストリームデータを前記記録媒体から読み出す読み出し手段と、
前記読み出し手段により読み出された動画像ストリームデータのもつ再生出力のための時刻管理情報と復号のための時刻管理情報とをトリック再生用に更新する時刻管理情報更新手段と、
前記時刻管理情報更新手段により時刻管理情報が更新された動画像ストリームデータをパケット化するパケット化手段と、
前記パケット化手段によりパケット化された動画像ストリームデータを外部出出する出力手段と、
をさらに具備したことを特徴とする請求項１記載の動画像録画再生装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成15年12月17日(2003.12.17)
【手続補正１】
【補正対象書類名】明細書
【補正対象項目名】０００８
【補正方法】変更
【補正の内容】
【０００８】
【課題を解決するための手段】
この課題を解決するため、例えば本発明の画像処理装置は以下の構成を備える。すなわち、
原稿画像をカラー画像として読み取る読み取り手段、画像を記録媒体上に記録し出力する第１の出力手段、通信相手端末に画像をファクシミリ送信する第２の出力手段、接続された情報処理装置に読み取り画像データを出力する第３の出力手段とを備える画像処理装置であって、
前記読み取り手段による読み取りモードを指定する指定手段と、
前記読み取り手段で読み取られた画像データの表色空間を、複数の表色空間の中のいずれか１つに変更する色変換手段と、
画像データを複数の圧縮形式の中の１つで圧縮する圧縮手段と、
前記指定手段で指定された読み取りモード、及び、読み取った画像を前記第１乃至第３の出力手段のいずれで出力するのかに応じて、前記色変換手段が変換する表色空間、前記圧縮手段の圧縮形式を選択する選択手段とを備える。
【手続補正書】
【提出日】平成15年12月17日(2003.12.17)
【手続補正１】
【補正対象書類名】明細書
【補正対象項目名】請求項７
【補正方法】変更
【補正の内容】
【請求項７】
前記第２判別手段の判別結果に従って、前記第２のカートリッジが前記装着手段に装着されていることが判別された場合、前記第１判別手段の判別結果に従って、前記残量インクの有無を検出対象となるインクを選択して前記残量インクの有無を検出するよう前記検出手段を制御する検出制御手段をさらに有することを特徴とする請求項６に記載のファクシミリ装置。
【手続補正２】
【補正対象書類名】明細書
【補正対象項目名】００１５
【補正方法】変更
【補正の内容】
【００１５】
すると、前記記録部には、第２判別手段の判別結果に従って、第２のカートリッジが装着されていることが判別された場合、第１判別手段の判別結果に従って、残量インクの有無を検出対象となるインクを選択して残量インクの有無を検出するよう前記検出手段を制御する検出制御手段をさらに備えることが好ましい。
【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
ラインにおけるロットの作業手順であるプロセスフローを作成したり、作成されたプロセスフローを編集するプロセスフロー作成・編集装置において、
複数の工程からなる工程フローによって前記プロセスフローを構成している前記工程を編集する工程フロー編集部と、前記工程のそれぞれを構成する１以上の作業からなる作業フローの前記作業を編集する作業フロー編集部とを少なくとも有するプロセスフロー編集手段と、
前記プロセスフローを編集する上で必要な情報を管理する基礎情報管理部と、前記工程フローの作成の際にベースとなるひな形工程を管理するひな形工程管理部と、前記作業の内容を規定した作業レシピを管理する作業レシピ管理部とを有する管理手段と、
を備えていることを特徴とするプロセスフロー作成・編集装置。
【請求項２】
前記プロセスフロー編集手段は、編集対象の前記プロセスフローに対して他の編集端末からの編集要求を拒否するような排他制御を行う編集ロック管理部をさらに有することを特徴とする請求項１に記載のプロセスフロー作成・編集装置。
【請求項３】
前記工程フロー編集部は、前記ひな形工程管理部にて管理されているひな形工程、編集中の自プロセスの他工程、または前記基礎情報管理部にて管理される他プロセスに含まれる工程を自プロセスにコピーするコピー手段を有することを特徴とする請求項１記載のプロセスフロー作成・編集装置。
【請求項４】
前記作業フロー編集部は、作業の内容を前記作業レシピ管理部にて管理されている作業レシピを参照することによって設定するように構成したことを特徴とする請求項１記載のプロセスフロー作成・編集装置。
【請求項５】
前記作業レシピは、ラインで作業を行う装置ごとに設定されていることを特徴とする請求項３記載のプロセスフロー作成・編集装置。
【請求項６】
前記作業レシピは、前記作業フロー編集部による作業の内容の編集時に情報を追加設定できるか否かを表した作業設定の有無情報を有することを特徴とする請求項１記載のプロセスフロー作成・編集装置。
【請求項７】
前記ひな形工程管理部は、前記ひな形工程を大工程区分および中工程区分によって分類管理していることを特徴とする請求項１記載のプロセスフロー作成・編集装置。
【手続補正２】
【補正対象書類名】明細書
【補正対象項目名】０００７
【補正方法】変更
【補正の内容】
【０００７】
【課題を解決するための手段】
本発明によれば、ラインにおけるロットの作業手順であるプロセスフローを作成したり、作成されたプロセスフローを編集するプロセスフロー作成・編集装置において、
複数の工程からなる工程フローによって前記プロセスフローを構成している前記工程を編集する工程フロー編集部と、前記工程のそれぞれを構成する１以上の作業からなる作業フローの前記作業を編集する作業フロー編集部とを少なくとも有するプロセスフロー編集手段と、
前記プロセスフローを編集する上で必要な情報を管理する基礎情報管理部と、前記工程フローの作成の際にベースとなるひな形工程を管理するひな形工程管理部と、前記作業の内容を規定した作業レシピを管理する作業レシピ管理部とを有する管理手段と、
を備えていることを特徴とするプロセスフロー作成・編集装置が提供される。


【手続補正３】
【補正対象書類名】明細書
【補正対象項目名】０００８
【補正方法】変更
【補正の内容】
【０００８】
上記構成によれば、工程フロー編集部でプロセスフローを作成するときには、プロセスフローを構成する工程はひな形工程管理部にて管理されているひな形工程をコピーすることにより工程フローを作成し、作成された工程フローの編集はひな形工程管理部のひな形工程、他プロセスが保持する工程または編集中の自プロセスの工程をコピーして追加したり、工程内の情報を変更したり、工程を削除したりする。作業フロー編集部は工程フロー編集部で編集された工程に従属する作業を編集するもので、作業の情報は作業レシピ管理部で管理する作業レシピを参照して設定される。したがって、プロセスフローは工程および作業に分けて効率よく編集され、工程および作業に設定される情報は管理手段にて管理された情報を参照することで作成者の入力作業を減らしている。
【手続補正書】
【提出日】平成15年8月5日(2003.8.5)
【手続補正１】
【補正対象書類名】明細書
【補正対象項目名】００２１
【補正方法】変更
【補正の内容】
【００２１】画像データの復号化に際しては、まず、記憶媒体に格納されているビットストリーム（等高線ベクトルのデータ）を読み出し、このビットストリームからベクトル図形（等高線を多角形で近似表現したもの）を復元する。次いで、各レベルの復元された等高線の間を補間処理して各画素の輝度値を求める。すなわち、ピークと鞍部を復元しながら例えば三角形パッチで表面を覆って各輝度を計算する。これにより、品質の低い画像が復元される。また、上記ビットストリームと、上述した近似誤差についてのビットストリームとから、より品質の高い画像を復元することができる。


【手続補正２】
【補正対象書類名】明細書
【補正対象項目名】００４１
【補正方法】変更
【補正の内容】
【００４１】画像データスケーリング処理部７７は、スケーリング制御部７５からの指示に基づき、データ読出し処理部７６が読み出した等高線ベクトルデータについて、所定比率でのスケーリング（拡大，縮小）の処理を行う。画像再構築処理部７８は、等高線ベクトルに、例えば三角形パッチ処理を施し、各物理画像部分空間における画像を画像表示装置７９に表示する。


【手続補正３】
【補正対象書類名】明細書
【補正対象項目名】図面の簡単な説明
【補正方法】変更
【補正の内容】
【図面の簡単な説明】
【図１】本発明において、階調の大きさをｚ＝ｆ（ｘ，ｙ）で定義した原画像を示す図である。
【図２】図１の特徴量分布を表す等高線の一例を示す図である。
【図３】原画像データのビットストリームの一例を示す図である。
【図４】本発明の一実施例を示すモデル図である。
【図５】図４の実施例の作用を示す図であり、（ａ）は第１のデータ群Ｄ１と第２のデータ群Ｄ２との２層構造からなるビットストリームを示し、（ｃ）は第１のデータ群Ｄ１を示し、（ｄ）は第２のデータ群を示し、（ｂ）は第１のデータ群Ｄ１と第２のデータ群Ｄ２とを合成した画像を示している。
【図６】本発明の他の実施例を示す図である。
【図７】本発明の画像データ構造による画像をディスプレイに表示するためのブロック図である。
【図８】本発明において、物理画像空間が多数の物理画像部分空間からなり、かつ原画像が動画像である場合の、第１のデータ群と第２のデータ群のビットストリームを示す図である。
【図９】本発明を動画像に適用した場合の実施例を示すフローチャートである。
【図１０】本発明を静止画像に適用した場合の実施例を示すフローチャートである。
【符号の説明】
４１，４２  記憶領域
４３  読出し制御部
４４  読出し制御部
４５  データ群合成手段
４６  スイッチ
４７  ビデオ空間
４８  ディスプレイ
５１〜５３  等高線ベクトルによる画像
６０  物理画像空間
６１，６２  記憶領域
６３  ビデオ空間
６４  ディスプレイ
７０，７１  記憶媒体
７２  ユーザ
７３  画像再生制御部
７４  読出し制御部
７５  スケーリング制御部
７６  データ読出し処理部
７７  画像データスケーリング処理部
７８  画像再構築処理部
７９  画像表示装置


【手続補正４】
【補正対象書類名】図面
【補正対象項目名】図５
【補正方法】変更
【補正の内容】
【図５】
1998105697.tif 000001
【手続補正５】
【補正対象書類名】図面
【補正対象項目名】図６
【補正方法】変更
【補正の内容】
【図６】
1998105697.tif 000002
【手続補正６】
【補正対象書類名】図面
【補正対象項目名】図８
【補正方法】変更
【補正の内容】
【図８】
1998105697.tif 000003
【手続補正７】
【補正対象書類名】図面
【補正対象項目名】図９
【補正方法】変更
【補正の内容】
【図９】
1998105697.tif 000004
【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
各々対物および接眼の２枚の平面鏡を含む左右両画面光学系を備え立体左右画面を一つの画面に組み合わせた立体単位画面として構成する立体単位画面形成光学系とこの立体画像を入力する機能を有する単一光学系の画像入力光学系を持つ光学系に於いて、該左右両画面光学系の各対物光学系に凹レンズ光学系を含み、さらに、該両光学系の各々の接眼光学系にまたは両光学系が組み合わされた共通の単一レンズ光学系として接眼平面鏡の後に凸レンズ光学系を含む事を特徴とする立体画像入力方式。
【請求項２】
左右入力画面について、主画面とする一方は光学系を通さず直接入力する構成とし、副画面とする他方のみ光学系を通した構成の立体単位画面形成光学系を特徴とする、請求項１の立体画像入力方式。
【請求項３】
各々対物および接眼の２枚の平面鏡を含む左右両画面光学系を備え立体左右画面を一つの画面に組み合わせた立体単位画面として構成する立体単位画面形成光学系とこの立体画像を入力する機能を有する単一光学系の画像入力光学系を持つ光学系に於いて、左右入力画面について、副画面とする片方の光学系に画像を反転又は倒立させる画像反転光学系を含むことを特徴とする立体画像入力方式。
【請求項４】
各々対物および接眼の２枚の平面鏡を含む左右両画面光学系を備え立体左右画面を一つの画面に組み合わせた立体単位画面として構成する立体単位画面形成光学系とこの立体画像を入力する機能を有する単一光学系の画像入力光学系を持つ光学系に於いて、左右入力画面について、副画面とする片方の光学系に画面を縮小する光学系を含み副画面が縮小された立体単位画面を構成することを特徴とする立体画像入力方式。
【請求項５】
各々対物および接眼の２枚の平面鏡を含む左右両画面光学系を備え立体左右画面を一つの画面に組み合わせた立体単位画面として構成する立体単位画面形成光学系とこの立体画像を入力する機能を有する単一光学系の画像入力光学系を持つ光学系に於いて、左右入力画面の光学系に各々独立した結像光学系を含む事により立体単位画面を実像の結像画面として構成し、該結像画面をそのまま又は集光光学系を介して画像入力光学系に取り込む構成を特徴とする立体画像入力方式。
【請求項６】
左右各々対物および接眼の２枚の平面鏡を含み立体左右画面を一つの画面に組み合わせた立体単位画面として構成する立体単位画面形成光学系に於いて、左右の接眼表面鏡が相互に前後にずれて配置される事を特徴とする、立体画像入力方式。
【手続補正２】
【補正対象書類名】明細書
【補正対象項目名】００１５
【補正方法】変更
【補正の内容】
【００１５】
【作用】従来、カメラなどの画像入力光学系に於いて、左右両画面を組み合わせて立体単位画面を構成しようとする場合、左右画面の各光学系に対物および接眼の二枚の平面鏡を用いたアダプターを構成し、これを画像入力光学系の前に設定し実現するのが一般的であった。これに対し、本発明に於いては、まず、この各画面光学系の対物および接眼の光学系として、それぞれ凹および凸レンズを持つレンズ組合せ構成を設定した。この結果、本レンズ組合せ構成によれば、対物レンズの位置で見る画面は、凹レンズ光学系で縮小されて接眼凸レンズに至り、ここで拡大され元の画像が再生されるので、元の対物レンズの位置で見る画像が、この接眼レンズの位置において、ほぼそのまま見える事になる。特に両者の焦点距離が同一の場合は、両レンズ間の距離を変えても、これが可能である。即ち、左右両画面の各光学系に本レンズ組合せ構成を用いた場合、その光学系の長さを各々自由に変える事が可能となる。また、入力画面の画角を広く取るには凹レンズの焦点距離を短く設定すればよいので、従来のように大きな面積の対物平面鏡を用いる必要がなくなった。
【手続補正書】
【提出日】平成15年6月16日(2003.6.16)
【手続補正１】
【補正対象書類名】明細書
【補正対象項目名】発明の名称
【補正方法】変更
【補正の内容】
【発明の名称】コンピュータ・キーボード・ユニット
【手続補正２】
【補正対象書類名】明細書
【補正対象項目名】特許請求の範囲
【補正方法】変更
【補正の内容】
【特許請求の範囲】
【請求項１】
ホスト・コンピュータへ接続するためのコンピュータ・キーボード・ユニットであって、
一組の英数字キーを含むキー・マトリクスと、
該キー・マトリクスのキー・プレスを検出し、対応するキー・コードを発生させるキーボード・コントローラと、
前記コンピュータ・キーボード・ユニットを前記ホスト・コンピュータとインターフェースさせるホスト・インターフェース手段と、
集積回路カードを受容し、該集積回路カードとデータを交換するＩＣＣインターフェースであって、前記ホスト・インターフェース手段に接続されることによって前記ホスト・コンピュータが前記ＩＣＣインターフェース内に受容された前記集積回路カードとデータを交換できるようにしたＩＣＣインターフェースと、前記キーボード・コントローラへモード切替コマンドを送達する手段とを含んでおり、
前記キーボード・コントローラは、
前記キー・コードを前記ホスト・コンピュータへ出力するために該キー・コードを前記ホスト・インターフェース手段へ送る第１の動作モード、および、前記キー・コードを前記ＩＣＣインターフェース内に受容された前記集積回路カードへ伝送するために該キー・コードを前記ＩＣＣインターフェースへ送る第２の動作モードとを有し、
前記キーボード・コントローラが前記モード切替コマンドの送達に応答して、前記第１の動作モードから前記第２の動作モードへ切り替わることを特徴とする、コンピュータ・キーボード・ユニット。
【請求項２】
前記モード切替コマンドを提供する手段が、前記モード切替コマンドを前記ホスト・コンピュータから前記ホスト・インターフェース手段を介して受け取る手段を含むことを特徴とする、請求項１に記載のコンピュータ・キーボード・ユニット。
【請求項３】
前記ホスト・インターフェース手段が、単一の双方向リンク・インターフェースを含むことを特徴とする、請求項１又は請求項２のいずれか一項に記載のコンピュータ・キーボード・ユニット。
【請求項４】
前記ホスト・インターフェース手段が、前記キーボード・コントローラの前記第１の動作モード時に前記キー・コードを前記ホスト・コンピュータへ送る役目をするリンク・インターフェースと、前記カードと前記ホスト・コンピュータの間でデータを交換する役目をするリンク・インターフェースの２つのリンク・インターフェースを含み、２つの前記リンク・インターフェースのうちの所定の１つが、前記ホスト・コンピュータから前記モード切替コマンドを受け取る役目をすることを特徴とする、請求項１ないし請求項３のいずれか一項に記載のコンピュータ・キーボード・ユニット。
【請求項５】
前記モード切替コマンドを提供する手段が、前記集積回路カードからのユーザ・データ入力の要求の受け取りに応答して前記モード切替コマンドを発生する手段を含む前記ＩＣＣインターフェースを具備することを特徴とする、請求項１ないし請求項４のいずれか一項に記載のコンピュータ・キーボード・ユニット。
【請求項６】
前記ＩＣＣインターフェースが、前記ＩＣＣインターフェースに受容された前記集積回路カードとのインターフェースを制御するプログラム制御プロセッサ手段を含み、かつ前記キーボード・コントローラが、キー・プレス検出およびキー・コード発生を制御するプログラム制御プロセッサ手段を含むことを特徴とする、請求項１ないし請求項５のいずれか一項に記載のコンピュータ・キーボード・ユニット。
【請求項７】
前記キーボード・コントローラの前記プロセッサ手段と前記ＩＣＣインターフェースの前記プロセッサ手段が、単一のマイクロコントローラによってまとめて構成されることを特徴とする、請求項６に記載のコンピュータ・キーボード・ユニット。
【請求項８】
前記キー・マトリクスが数値キー・パッドを含み、前記キーボード・コントローラが、前記第２の動作モード時に、前記数値キー・パッドと関連するキー・プレスに対応する前記キー・コードのみを前記ＩＣＣインターフェースに送ることを特徴とする、請求項１ないし請求項７のいずれか一項に記載のコンピュータ・キーボード・ユニット。
【請求項９】
前記キーボード・コントローラの前記第２の動作モード時にキー・プレスに従って前記ＩＣＣインターフェースによって前記集積回路カードへ送られたコードが、前記ＩＣＣインターフェースによって使用される文字／文字コード・マッピングに従ってユーザ入力文字を正確に表わすようにする、コード変換手段をさらに含むことを特徴とする、請求項１ないし請求項８のいずれか一項に記載のコンピュータ・キーボード・ユニット。
【請求項１０】
前記ＩＣＣインターフェース内に受容された前記カード内にＰＩＮコードを入力できるように、前記キーボード・コントローラがその前記第２の動作モードに設定されることを特徴とする、請求項１ないし請求項９のいずれか一項に記載のコンピュータ・キーボード・ユニット。
【手続補正書】
【提出日】平成15年8月1日(2003.8.1)
【手続補正１】
【補正対象書類名】明細書
【補正対象項目名】請求項３
【補正方法】変更
【補正の内容】
【請求項３】
制御手段は、文書の読み直しの際に、外部からの指示がなくても音声パラメータを変更するものであることを特徴とする請求項１記載の文書読み上げ装置。
【手続補正２】
【補正対象書類名】明細書
【補正対象項目名】請求項５
【補正方法】変更
【補正の内容】
【請求項５】
外部からの指示により所要の文書を合成音声で読み上げる文書読み上げ装置についての文書読み上げ方法であって、外部から読み直しの指示があったとき、文書を指示された個所から、音声パラメータを変更した合成音声で読み直すことを特徴とする文書読み上げ方法。
【手続補正３】
【補正対象書類名】明細書
【補正対象項目名】００１１
【補正方法】変更
【補正の内容】
【００１１】
（３）制御手段は、文書の読み直しの際に、外部からの指示がなくても音声パラメータを変更するものである前記（１）記載の文書読み上げ装置。


【手続補正４】
【補正対象書類名】明細書
【補正対象項目名】００１３
【補正方法】変更
【補正の内容】
【００１３】
（５）外部からの指示により所要の文書を合成音声で読み上げる文書読み上げ装置についての文書読み上げ方法であって、外部から読み直しの指示があったとき、文書を指示された個所から、音声パラメータを変更した合成音声で読み直すことを特徴とする文書読み上げ方法。


【手続補正５】
【補正対象書類名】明細書
【補正対象項目名】００３９
【補正方法】変更
【補正の内容】
【００３９】
【発明の効果】
以上説明したように、本発明によれば、ユーザが理解しやすい文書読み上げを実現できる。
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
記録媒体上に光をパルス的に照射して始端および終端の位置で記録情報を表すマークを形成する光学的情報記録方法において、
前記マークを形成するための照射光の強度をマーク長に応じて変化させることを特徴とする光学的情報記録方法。
【請求項２】
記録媒体上に光をパルス的に照射して始端および終端の位置で記録情報を表すマークを形成する光学的情報記録方法において、
前記マークを形成するための照射光のパルス幅をマーク長のより短い領域でマーク長の違い以上にパルス幅が減少するようにマーク長に対して非線形に変化させることを特徴とする光学的情報記録方法。
【請求項３】
記録媒体上に光をパルス的に照射して始端および終端の位置で記録情報を表すマークを形成する光学的情報記録方法において、
前記マークを形成するための照射光の強度をマーク長に応じて変化させると共に、該照射光のパルス幅をマーク長のより短い領域でマーク長の違い以上にパルス幅が減少するようにマーク長に対して非線形に変化させることを特徴とする光学的情報記録方法。
【請求項４】
前記マークを形成するための照射光を、マーク長に応じた幅の単一パルスとマーク長に応じた数のマルチパルスの少なくとも一方により構成することを特徴とする請求項１〜３のいずれか１項に記載の光学的情報記録再生方法。
【請求項５】
前記マークを形成するための照射光のうち、マーク長のより短いマークを形成するための照射光はマーク長に応じた幅の単一パルスにより構成し、マーク長のより長いマークを形成するための照射光はマーク長に応じた数のマルチパルスにより構成することを特徴とする請求項１〜３のいずれか１項に記載の光学的情報記録再生方法。
【請求項６】
マーク長のより短いマークを形成するための照射光の強度を、マーク長のより長いマークを形成するための照射光の少なくとも一部の強度よりも低くすることを特徴とする請求項１〜５のいずれか１項に記載の光学的情報記録方法。
【請求項７】
マーク長のより長いマークを形成するための照射光の強度を、照射光の先頭と後尾とで異ならせることを特徴とする請求項１〜６のいずれか１項に記載の光学的情報記録方法。
【請求項８】
記録媒体上にマークを形成するための光を照射する照射手段と、この照射手段による照射光の光強度を制御する光強度制御手段とを有し、
前記光強度制御手段は、前記マークを形成するための照射光の強度をマーク長に応じて変化させることを特徴とする光学的情報記録装置。
【請求項９】
記録媒体上にマークを形成するための光を照射する照射手段と、この照射手段による照射光のパルス幅を制御するパルス幅制御手段とを有し、
前記パルス幅制御手段は、前記マークを形成するための照射光のパルス幅をマーク長のより短い領域でマーク長の違い以上にパルス幅が減少するようにマーク長に対して非線形に変化させることを特徴とする光学的情報記録装置。
【請求項１０】
記録媒体上にマークを形成するための光を照射する照射手段と、この照射手段による照射光の光強度を制御する光強度制御手段と、前記照射手段による照射光のパルス幅を制御するパルス幅制御手段とを有し、
前記光強度制御手段は、前記マークを形成するための照射光の強度をマーク長に応じて変化させ、
前記パルス幅制御手段は、前記マークを形成するための照射光のパルス幅をマーク長のより短い領域でマーク長の違い以上にパルス幅が減少するようにマーク長に対して非線形に変化させることを特徴とする光学的情報記録装置。
【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
ロジックアナライザに接続された電子相互接続バス上のメモリアクセスに関して、該ロジックアナライザで取得した状態論理データを表示するためのコンピュータ処理可能な方法であって、
前記ロジックアナライザで取得した前記状態論理データ中の前記メモリアクセスを複数のデータ構造に関連付けるステップと、
前記複数のデータ構造をコンピュータ表示スクリーン上にバンドで表示するステップと、
からなる方法。
【請求項２】
前記メモリアクセスの各々がアドレス値を含み、
前記関連付けるステップは、前記状態論理データ中のメモリアクセスの各々のアドレス値が所定のシーケンスになっている場合、前記状態論理データ中のメモリアクセスのうちのそれらのメモリアクセスを連続したものとして識別することを含む、請求項１の方法。
【請求項３】
前記関連付けるステップは、
前記状態論理データ中のメモリアクセスの際のバッファを、前記状態論理データ中のメモリアクセスのうちの連続したメモリアクセスの数として識別することと、
前記状態論理データ中のメモリアクセスの際のバッファ記述子を、前記複数のデータ構造のうちの１つを指すポインタを有する前記状態論理データ中のメモリアクセスの数として識別することと、
を含む、請求項１の方法。
【請求項４】
ユーザ要求に応じて前記複数のデータ構造のうちの少なくとも１つの選択されたデータ構造に格納されたデータを文字表示するステップをさらに含む、請求項１の方法。
【請求項５】
ユーザ要求に応じて前記複数のデータ構造のうちの少なくとも１つの選択されたデータ構造に格納された通信プロトコルデータを文字表示するステップをさらに含む、請求項１の方法。
【請求項６】
ユーザ要求に応じて前記複数のデータ構造に格納されたデータの中から指定されたデータシーケンスのものを探すステップをさらに含む、請求項１の方法。
【請求項７】
ロジックアナライザに接続された電子相互接続バス上のメモリアクセスに関して、該ロジックアナライザで取得した状態論理データを表示するためのコンピュータ処理可能な方法であって、
前記ロジックアナライザで取得した状態論理データを、連続したメモリアドレスへのメモリアクセスのシーケンスを表わす前記状態論理中に散在する状態を含む少なくとも１つのバッファに関連付けるステップと、
前記少なくとも１つのバッファをコンピュータ表示スクリーン上に表示するステップと、
からなる方法。
【請求項８】
ロジックアナライザに接続された電子相互接続バス上のメモリアクセスに関して該ロジックアナライザで取得した状態論理データを表示する方法の各ステップを実施するためのコンピュータで実行可能なプログラム又は命令を具体的に実現する、コンピュータで読み取り可能なプログラム記憶装置であって、前記方法の各ステップが、
前記ロジックアナライザで取得した状態論理データ中の前記メモリアクセスを複数のデータ構造に関連付けるステップと、
前記複数のデータ構造をコンピュータ表示スクリーン上にバンドで表示するステップ とからなる、プログラム記憶装置。
【請求項９】
前記関連付けるステップが、
前記状態論理データ中のメモリアクセスの際のバッファを、前記状態論理データ中のメモリアクセスのうちの連続したメモリアクセスの数として識別することと、
前記状態論理データ中のメモリアクセスの際のバッファ記述子を、前記複数の状態論理データのうちの１つを指すポインタを有する前記状態論理データ中のメモリアクセスの数として識別することと、
を含む、請求項８のプログラム記憶装置。
【請求項１０】
前記表示するステップが、
識別された前記バッファを前記コンピュータ表示スクリーン上にグラフィック表示することと、
識別された前記バッファ記述子を識別された前記バッファの表示と区別できるような方法で前記コンピュータ表示スクリーン上にグラフィック表示することと、
を含む、請求項９のプログラム記憶装置。
【手続補正書】
【提出日】平成15年9月11日(2003.9.11)
【手続補正１】
【補正対象書類名】明細書
【補正対象項目名】００１２
【補正方法】変更
【補正の内容】
【００１２】
図１は本発明の記録用シートの一例の概略的な部分断面を示す図である。本発明の記録用シート１においては、基材層２上に、粘着層３、プラスチックフィルム層４、記録層５が設けられている。さらに貯蔵時のシートのブロッキング等を防止するため等の目的で設けられる表面処理層６を基材層及び記録層の外側の表面に有していてもよい。本発明の記録用シートにおいては、上記記録層側の表面に感熱転写、インクジェット、レーザプリンタ及び各種電子写真複写機等による各種記録法、あるいは通常のインクを使用する各種の印刷方法により所望の表示が形成される。そしてその形成された表示の周囲を所望の大きさにプラスチックフィルム層までの厚さをオートカッター等により切断し表示物を得る。この表示物は切断した後もその下にある粘着層により基材層上に保持されるので、本発明の記録用シートは所望の表示を形成し、プラスチックフィルム層を切断した後にも製造時の記録用シートの形状のまま取り扱える。そして切断されたプラスチックフィルム層からなる表示物を使用する際には、プラスチックフィルム層の表示物部分を基材層から容易に剥離することができ、しかも粘着層は基材層上に残存し（即ち、図１のＡで示した部分から上下に分離する）、所望の表示が形成された記録層を有するプラスチックフィルム層のみからなる表示物が得られる。
【手続補正書】
【提出日】平成15年9月26日(2003.9.26)
【手続補正２】
【補正対象書類名】明細書
【補正対象項目名】全文
【補正方法】変更
【補正の内容】
【発明の名称】外国語学習用文章の表記法
【特許請求の範囲】
【請求項１】外国語の原文を一語または意味を持つ語の集まりごとに分割し、これを一行ずつ行を改めて表記し（分割原文という）その部分だけに対応する日本語または既知の言語による訳文（対比訳文という）を分割原文と同一の行に訳出、対比訳文の各行の頭または中間にその訳文として正しい語順で読めるよう必要に応じ順序を示す記号・数字を付けて語順を明示する表記法。
【発明の詳細な説明】
【０００１】
【発明の属する技術分野】
この発明は、外国語の学習効率を高めるための文章表記法に関するものである。
【０００２】
【従来の技術】
本提案に最も類似するものに同時通訳の流し訳というのがあるが同一の行に訳されているものでも明確に原語の語順との相関関係を示す配慮はなされていない。
【０００３】
【発明が解決しようとする課題】
文章については外国語と日本語はその語順（主語・目的語・動詞のでてくる順序）が大きく異なるので、意味を日本語で表現するとき原文を後ろから一部を訳しまた前に戻ってと往きつ戻りつすることになる。そこで外国語を外国語のまま頭から書かれたり聞こえたりする順に理解できるよう、同時通訳の技法として分かち聞き、流し訳というのがあるが一般の人が学習するにはやや無理なところがある。そこで、できるだけ外国語の語順に従って意味を把握できると共に、正しい日本語としても表現できるように記載方法に配慮を加え学習効果を向上出来ないかと考えた。
【０００４】
【課題を解決するための手段】
文章の表記法
▲１▼外国語の原文を一語または意味を持つ語の集まり（Ｓｅｎｓｅ  ｇｒｏｕｐ）ごとに分割しこれを行を改めて記載し（以下、これを分割原文という）その部分だけに対応する日本語または既知の言語による訳文を同一の行に記載する
（以下これを対比訳文という）表記法を考案した。
ａ  対比訳文，ｂ  分割原文  で示す。    （図１および図２）
▲２▼対比訳文の各行の頭または中間にその訳文として正しい語順で読めるように必要に応じて（数字）・（ａ，ｂ，ｃ）・（イロハ）等の順序を示す記号をつける表記法を考案した。
（図２参照）
【０００５】
【発明の実施の形態】
文章頁の使い方
▲１▼  対比訳文の使い方（その１）
原語音の意味（内容）を把握する練習
第１段階では分割原文を覆って「音声教材」を１〜数行分だけ聴く。
この間、眼は対比訳文をみている。音声を元の位置に戻し何回も憶えるまで繰り返す。次の数行を同様に行なう。
第２段階は数行ずつではなく文の単位を対象に練習する。
第３段階は一頁分全部を対象に録音を聴き、最後は音声教材をストップせずに内容がそのまま掴めるまで練習を重ねる。
▲２▼  分割原文の使い方
文字だけで意味が掴める練習。
音声を１〜数行ずつ一時ストップで音声教材を止め巻き戻して何回も聴く。この時発音上の特徴を分割原文に黒丸や線で抑揚を付けたり発音の難しい語や発音が省略されているところにカナを振ったりして利用する
▲３▼  対比訳文の使い方（その２）
対比訳文だけを見て原文に復元する練習
【０００６】
【実施例】
例文として英語ニュース（ジャパンタイムズ）を本表記法で表示する。
1998105047.tif 000001
1998105047.tif 000002
して示しアンダーラインは動詞系の対比になどに用いた。これは文字をカラー表示しても良い。要は対応する語彙がすぐわかるように示す方便である。
【０００７】
【発明の効果】
▲１▼  原語のままの理解を助ける
同一行で両方が眼に入るので、原文の意味（内容）が直ちに分かる
▲２▼  関連語句の対比や言語による語順の違いが一目瞭然である
▲３▼  表現練習に便利
一方を覆って日本語→英語のように各行ごとに瞬時に翻訳できる
▲４▼  視線固定の効果
訳語と原語が同一行に並んでいるので眼を動かさずに内容が同時に見えるので疲労度が軽減され記憶が確実になる
【図面の簡単な説明】
【図１】学習用教材の紙面の見開き頁の基本構成を示す図
【図２】基本構成による文章の表記法の実施例を示す図
【図３】表記法の区画構成のバリエーションの一例を示す図
【符号の説明】
１  対比訳文記載の紙面を示す
２  分割原文記載の紙面を示す


【手続補正３】
【補正対象書類名】図面
【補正対象項目名】全図
【補正方法】変更
【補正の内容】
【図１】
1998105047.tif 000003
【図２】
1998105047.tif 000004
【図３】
1998105047.tif 000005
【手続補正書】
【提出日】平成15年7月4日(2003.7.4)
【手続補正１】
【補正対象書類名】明細書
【補正対象項目名】発明の名称
【補正方法】変更
【補正の内容】
【発明の名称】受付案内システム及び制御装置及び方法


【手続補正２】
【補正対象書類名】明細書
【補正対象項目名】特許請求の範囲
【補正方法】変更
【補正の内容】
【特許請求の範囲】
【請求項１】
複数の窓口が備えられた施設に来所した利用者により利用者を認識するための第一の情報が入力される入力装置と、
該入力装置に接続され前記利用者が行くべき窓口を指定する制御装置を有する受付案内システムにおいて、
前記制御装置は、
各窓口で取り扱う取引内容を示す窓口情報と利用者の取引情報を格納する記憶装置を有し、
前記入力装置が取得した第一の情報を用いて前記記憶装置から来所した利用者の取引情報を取得し、
前記取引情報と前記窓口情報を用いて前記利用者が行くべき窓口を決定することを特徴とする受付案内システム。
【請求項２】
請求項１に記載の受付案内システムにおいて、
さらに前記入力装置はさらに前記利用者の来所目的を入力する手段を有し、
前記制御装置は前記利用者が行くべき窓口を決定する際に前記入力装置から入力された来所目的を利用することを特徴とする受付案内システム。
【請求項３】
受付端末で入力された来店した顧客の来店目的を含む顧客情報を受信し、
顧客の個人情報を保持する記憶装置に受信した前記来店した顧客の顧客情報を格納し、
窓口端末から送信された情報を受信した場合に前記顧客の個人情報に基づいて決定された顧客の顧客情報を前記窓口端末に送信することを特徴とする受付案内の制御方法。
【請求項４】
前記個人情報には顧客の預金残高を含むことを特徴とする請求項３に記載の受付案内の制御方法。
【請求項５】
前記来店した顧客の顧客情報の一部として前記来店した顧客の受付番号を受信することを特徴とする請求項３に記載の受付案内の制御方法。
【請求項６】
前記来店した顧客に対して制御装置が決定した受付番号を前記記憶装置にさらに格納し、
決定された受付番号をあわせて前記受付端末に送信することを特徴とする請求項３に記載の受付案内の制御方法。
【請求項７】
さらに顧客呼出装置に前記決定された顧客の前記受付番号と前記窓口端末の情報を送信することを特徴とする請求項５または６に記載の受付案内の制御方法。
【請求項８】
受付端末で入力された来店した顧客の来店目的と前記来店した顧客の個人情報を保持する記憶装置を有し、
窓口端末から送信された情報を受け取った場合に前記顧客の個人情報に基づいて決定された顧客の来店目的と前記決定された顧客の個人情報を前記窓口端末に送信することを特徴とする受付案内の制御装置。
【請求項９】
受付端末で入力された来店した顧客の来店目的を含む顧客情報を受信する受信手段と、
顧客の個人情報と受信した前記来店した顧客の顧客情報を保持する記憶装置と、窓口端末から送信された情報を前記受信手段が受信した場合に前記顧客の個人情報に基づいて決定された顧客の顧客情報を前記窓口端末に送信する送信手段を有することを特徴とする受付案内の制御装置。
【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
基板と、
この基板上に、その内側に前記基板が露出するような所定空間を形成するように配置され、かつその内側側面が傾斜している位置制御部材と、
前記所定空間に適合するように配置され、かつその外形側面として前記位置制御部材の内側側面とほぼ同じである傾斜した側面を少なくとも一部に有するアクティブ素子と、
このアクティブ素子を前記基板または前記位置制御部材と接着する接着部と、
を具備し、
前記基板と前記接着部との濡れ性は、前記位置制御部材と前記接着部との濡れ性よりも高いことを特徴とするアクティブマトリクス基板。
【請求項２】
基板と、
この基板上に、その内側に所定空間を形成するように配置され、かつその内側側面が傾斜している位置制御部材と、
前記所定空間に適合するように配置され、かつその外形側面として前記位置制御部材の内側側面とほぼ同じである傾斜した側面を少なくとも一部に有するアクティブ素子と、
このアクティブ素子を前記基板または前記位置制御部材と接着する接着部と、
を具備し、
前記位置制御部材は、その内側側面につながる底部を有することを特徴とするアクティブマトリクス基板。
【請求項３】
前記濡れ性の測定を、前記位置制御部材と前記接着部との接触角の大きさを測定することによって行い、この接触角を７０°以上とすることを特徴とする請求項１もしくは２記載のアクティブマトリクス基板。
【請求項４】
前記アクティブ素子の下面にエッチングストッパー層を設けることを特徴とする請求項１もしくは２記載のアクティブマトリクス基板。
【請求項５】
前記位置制御部材は、その側面に少なくとも１つの切れ目または穴を有することを特徴とする請求項１もしくは２記載のアクティブマトリクス基板。
【請求項６】
前記アクティブ素子の形状が回転対称性を持たないことを特徴とする請求項１もしくは２記載のアクティブマトリクス基板。
【請求項７】
前記アクティブ素子及び前記位置制御部材の、傾斜した側面を同一とすることを特徴とする請求項１もしくは２記載のアクティブマトリクス基板。
【請求項８】
前記基板面から前記アクティブ素子上面までの高さが、前記基板面から前記位置制御部材上面までの高さ以上であることを特徴とする請求項１もしくは２記載のアクティブマトリクス基板。
【請求項９】
前記基板面から前記位置制御部材上面までの高さが０．３μｍ以上５μｍ以下であることを特徴とする請求項１もしくは２記載のアクティブマトリクス基板。
【請求項１０】
第１の基板上にアクティブ素子を形成する素子形成工程と、
前記アクティブ素子を第２の基板に転写する第１の転写工程と、
前記アクティブ素子がその外形側面に傾斜を有するよう加工する素子加工工程と、
第３の基板上に、内側に前記第３の基板が露出するような所定空間を形成するように配置され、かつその内側側面が前記傾斜を有する位置制御部材を形成する位置制御部材形成工程と、
前記位置制御部材の内側に接着部を形成する接着部形成工程と、
前記素子加工工程及び前記接着部形成工程の後に前記アクティブ素子と前記位置制御部材とを位置あわせして前記アクティブ素子を前記接着部に接着させる第２の転写工程と、
を具備し、
前記第３の基板と前記接着部との濡れ性を、前記位置制御部材と前記接着部との濡れ性よりも高くしたことを特徴とするアクティブマトリクス基板の製造方法。
【請求項１１】
第１の基板上にアクティブ素子を形成する素子形成工程と、
前記アクティブ素子を第２の基板に転写する第１の転写工程と、
前記アクティブ素子がその外形側面に傾斜を有するよう加工する素子加工工程と、
第３の基板上に、内側に所定空間を形成するように配置され、かつその内側側面が前記傾斜を有する位置制御部材を形成する位置制御部材形成工程と、
前記位置制御部材の内側に接着部を形成する接着部形成工程と、
前記素子加工工程及び前記接着部形成工程の後に前記アクティブ素子と前記位置制御部材とを位置あわせして前記アクティブ素子を前記接着部に接着させる第２の転写工程と、
を具備し、
前記位置制御部材は、その内側側面につながる底部を有することを特徴とするアクティブマトリクス基板の製造方法。